Podtech/llm-jp-corpus-v4-ja_patent huggingface dataset:
(57)【要約】      （修正有）【課題】斬新な模様が浮き上がるエスカレータ等の欄干照明装置を提供する。【解決手段】移動手摺１２の下方に透明板からなる欄干パネル２が立設され、欄干パネル２の上端面あるいは下端面と対向する位置に光源を備えたエスカレータ等において、光源にはＬＥＤを採用し、欄干パネル２の側面に欄干パネル２内部の光の乱反射を誘発する加工が施されている。その加工方法については、外方若しくは内方側面に模様を有するフィルム１１を貼付しても良いし、外方若しくは内方側面に模様を直接印刷するようにしても良い。【選択図】図１
2006176229.tif 000002
【特許請求の範囲】
【請求項１】
移動手摺の下方に透明板からなる欄干パネルが立設され、該欄干パネルの上端面あるいは下端面と対向する位置に光源を備えたエスカレータ等において、
前記光源にはＬＥＤを採用し、前記欄干パネルの側面に前記欄干パネル内部の光の乱反射を誘発する加工が施されていることを特徴とするエスカレータ等の欄干照明装置。
【請求項２】
前記欄干パネルの側面は外方側面であることを特徴とする請求項１に記載のエスカレータ等の欄干照明装置。
【請求項３】
前記欄干パネルの側面は内方側面であることを特徴とする請求項１に記載のエスカレータ等の欄干照明装置。
【請求項４】
側面には模様を有するフィルムを貼付することを特徴とする請求項１に記載のエスカレータ等の欄干照明装置。
【請求項５】
側面には模様を直接印刷することを特徴とする請求項１に記載のエスカレータ等の欄干照明装置。
【発明の詳細な説明】
【技術分野】
【０００１】
本発明は、個性的な意匠を備えたエスカレータ或いは動く歩道（以下、エスカレータ等と称す）の欄干照明装置の改良に関するものである。
【背景技術】
【０００２】
移動手摺の支持体や欄干自体の構造を、照明装置の有無に関係なく簡潔に統一でき、意匠性及び生産性に優れたものとして、出願人は図５に示す欄干照明装置を提案した。
即ち、踏段１の両側に立設された透明板からなる欄干パネル２の下方位置に光源３を配置し、この欄干パネル２の内部に光を照射して上面で反射させ、欄干全体を明るく照らすものである。
【特許文献１】特公昭６１−３７１９４号公報
【発明の開示】
【発明が解決しようとする課題】
【０００３】
このような従来装置では、周囲に漏れてしまう光量が多く、欄干パネルの上端で乱反射させても、光量が不十分で満足のいく照明・意匠効果を充分に得ることができなかった。
【課題を解決するための手段】
【０００４】
本発明は、移動手摺の下方に透明板からなる欄干パネルが立設され、該欄干パネルの上端面あるいは下端面と対向する位置に光源を備えたエスカレータ等において、光源にはＬＥＤを採用し、欄干パネルの側面に欄干パネル内部の光の乱反射を誘発する加工を施こすものである。
【発明の効果】
【０００５】
本発明は、欄干パネル２の側面で乱反射させるため、光量が多く光源の光量をムダなく使用でき、欄干パネルの模様に応じた、斬新で奇抜な光模様の照明装置を創り出すことができるものである。
【発明を実施するための最良の形態】
【０００６】
本発明は、光の直線性に優れたＬＥＤ光源を使用し、通常の欄干ガラスパネルに模様の入ったシートを貼付するものである。
【実施例１】
【０００７】
以下、本発明の実施例について、図面を用いて説明する。図１は本発明の一実施例を示す正面図（一部、部分拡大図を含む）、図２はその全体斜視図（一部、部分拡大図を含む）、図３及び図４は本発明の効果を説明する説明図である。
【０００８】
図中、図５と同一符号のものは同一のものを示すが、１０は本発明に係る白・青・緑などの光源となるＬＥＤで、欄干バネル２の上端面或いは下端面若しくはその両方に対向するように配置されている。１１は模様が印刷されたフィルムシートで、通常の透明ガラスからなる欄干パネル２に貼付されている。そして、１２は移動手摺、１３は内デッキ、１４は外デッキである。
【０００９】
このようにすれば、フィルムシート１１が貼付された箇所において、光が乱反射するため、欄干パネル２全体を明るく照らすとともに、シートに描かれた模様がはっきりと浮き上がる結果、意匠的にも極めて優れた照明効果を得ることができる。
【００１０】
ここで、図３に示すように、欄干パネル２の外方側面（反踏段１側）にフィルムシート１１を取付けて内側に光を反射させるようにすれば、踏段１に載っている乗客に対して意匠効果を発揮し、一方図４に示すように、フィルムシート１１を欄干パネル２の内方側面（踏段１側）に取付ければ、光が外方に反射して、エスカレータの周囲にいる人に対して、一種のオブジェとして意匠効果をもたらすものである。
【実施例２】
【００１１】
ところで、図１及び図２に示す実施例では、フィルムシート１１を欄干パネル２に貼付する例について述べているが、欄干パネル２に直接印刷を施すようにすることもできる。
【００１２】
フィルムシートであれば特に、客先の要望に応じて色々な模様のものを簡単に用意することができ、柔軟に対応することができて極めて便利である。
【産業上の利用可能性】
【００１３】
本発明であれば、エスカレータ等だけでなく、建物のショーウインドのようなものであっても適用することが可能である。
【図面の簡単な説明】
【００１４】
【図１】本発明の一実施例を示す正面図である。
【図２】本発明の一実施例を示す全体斜視図である。
【図３】本発明の効果を説明する説明図である。
【図４】本発明の効果を説明する説明図である。
【図５】従来のエスカレータの欄干照明装置を示す正面図である。
【符号の説明】
【００１５】
１ 踏段
２ 欄干パネル
３ 光源
１０  ＬＥＤ光源
１１ フィルムシート
【図１】
2006176229.tif 000003
【図２】
2006176229.tif 000004
【図３】
2006176229.tif 000005
【図４】
2006176229.tif 000006
【図５】
2006176229.tif 000007
(57)【要約】      （修正有）【課題】天板の近接領域に沿って配置された円い支持輸送リング及び栓開口部を備えた開栓容器において、外部の力の作用による負荷に対する栓開口部の抵抗力を向上した開栓容器を提供する。【解決手段】開栓容器（１）が、注入排出栓（１１）と栓開口部（９，１０）を１つずつ有する換気排気栓（１２）とを備え、これらの栓開口部（９，１０）は、開栓容器（１）の天板（４）の凹部（７，８）のこの天板（４）の縁領域内で直径上に対向して配置されている。栓開口部（９，１０）に対向する補強凸部（１５，１６）が、支持輸送リング（６）の内側に形成されている。補強突起部（１７，１８）が、補強凸部と栓開口部（９，１０）との間で開栓容器（１）の天板（４）の凹部（７，８）から上に向かって形成されている。【選択図】  図１
2006176213.tif 000002
【特許請求の範囲】
【請求項１】
内袋に接する天板の近接領域に沿って配置された円い支持輸送リング及び天板の縁領域に沿ったこの天板の窪地状の凹部内に配置された栓開口部を有する熱可塑性樹脂製の開栓容器において、栓開口部（９）の近接領域内で支持輸送リング（６）の内側（１４）に形成されている補強凸部（１５）並びに支持輸送リング（６）の補強凸部（１５）と栓開口部（９）との間で天板（４）の凹部（７）の平面部（１９）から上に向かって形成されている補強突起部（１７）を特徴とする開栓容器。
【請求項２】
注入排出栓（１１），天板（４）の凹部（７，８）において、この天板（４）の縁領域内で直径上に対向して配置されている栓開口部（９，１０）を１つずつ有する換気排気栓（１２）に形成され並びに支持輸送リング（６）の内側（１４）に先端を突出させ、栓開口部（９，１０）に対向する補強凸部（１５，１６）及び補強凸部（１５，１６）と栓開口部（９，１０）との間で天板（４）の凹部（７，８）から形成された補強突起部（１７，１８）を特徴とする請求項１に記載の開栓容器。
【発明の詳細な説明】
【技術分野】
【０００１】
本発明は、内袋に接する天板の近接領域に沿って配置された円い支持輸送リング及び天板の縁領域に沿ったこの天板の窪地状の凹部内に配置された栓開口部を有する熱可塑性樹脂製の開栓容器に関する。
【背景技術】
【０００２】
ヨーロッパ特許公開第 0 287 966号明細書から公知の種類の開栓容器の場合の支持輸送リングの近接領域内の換気排気栓の栓開口部の配置には、栓開口部が、天板の窪地状の凹部内の配置でも外部の曲げ応力及び押圧力から保護されていないという欠点がある。これらの曲げ応力及び押圧力は、より高い高さからの容器の落下時に支持輸送リングの横に作用し、この容器を変形させる。この変形は、換気排気栓の栓開口部に必ず影響を及ぼす。これによって、歪力点が、支持部材及びこの支持部材に隣接した領域内に発生し得る。これらの歪力点は、亀裂の形成及びその他の損傷を招きうる。その結果、栓の密閉によって閉鎖する容器の換気排気栓の密閉性がもはや保証されない。
【特許文献１】ヨーロッパ特許公開第 0 287 966号明細書
【発明の開示】
【発明が解決しようとする課題】
【０００３】
本発明の課題は、外部の力の作用による負荷に対するこのような開栓容器の領域又は栓開口部の抵抗力を向上することにある。
【課題を解決するための手段】
【０００４】
この課題は、本発明により、開栓容器の栓開口部の近接領域内の支持輸送リングの内側に接する補強凸部を形成することによって及び支持輸送リングの補強凸部と栓開口部との間の開栓容器の天板から突出する補強突起部を形成することによって解決される。
【０００５】
栓開口部内の支持輸送リングが、開栓容器の上の領域のこの幾何学形状によって補強される。力が、支持輸送リングがまだ変形しない所定の応力の強さまで支持輸送リングに作用する場合、この幾何学形状は、栓開口部の損傷を阻止する。外部の力の作用下での容器の製造材料の弾性限界を超えた時の支持輸送リングの変形が、容器の天板内の補強突起部によって阻止され、これによって損傷を招きうる栓開口部への直接の力の応力が阻止される。
【０００６】
以下に、本発明の開栓容器を図面に基づいて説明する：
【発明を実施するための最良の形態】
【０００７】
発泡押出成形によって製造された合成樹脂性の開栓容器は、胴体部２，地板３並びに中央の積重ね面５及び外側の支持輸送リング６を有する天板４から構成される。
【０００８】
開栓容器１の天板４は、２つの窪地状の凹部７，８を有する。これらの凹部７，８内には、注入排出栓１１及び換気排気開口部１２の栓開口部９，１０が、直径上で対向して沈んで配置されている。
【０００９】
容器を掴むための係合溝１３が、支持輸送リング６と積重ね面５及び両凹部７，８との間に円状に延存している。
【００１０】
補強凸部１５，１６がそれぞれ、注入排出栓１１及び換気排気栓１２の栓開口部９，１０の近接領域内で支持輸送リング６の内側１４に形成されている。２つの補強突起部１７，１８が、支持輸送リング６の補強凸部１５，１６と両栓１１，１２の栓開口部９，１０との間に容器の天板４の両凹部７，８の平面部１９，２０から上に向かって形成されている。
【図面の簡単な説明】
【００１１】
【図１】開栓容器の投影図である。
【図２】注入排出栓を有する容器の天板を拡大して示した部分図である。
【図３】図２の線ＩＩＩ−ＩＩＩに沿った断面図である。
【図４】図２の線ＩＶ−ＩＶに沿った断面図である。
【符号の説明】
【００１２】
１    開栓容器
２    胴体部
３    地板
４    天板
５    積重ね面
６    輸送リング
７    凹部
８    凹部
９    栓開口部
１０  栓開口部
１１  注入排出栓
１２  換気排気栓
１３  係合溝
１４  内側
１５  補強凸部
１６  補強凸部
１７  補強突起部
１８  補強突起部
１９  平面部
２０  平面部
【図１】
2006176213.tif 000003
【図２】
2006176213.tif 000004
【図３】
2006176213.tif 000005
【図４】
2006176213.tif 000006
(57)【要約】【課題】過去にペットボトルに毒物を入れ犯罪に使用されたことからキャップの開封確認が出来る様に、現在使用されているペットボトルの容器になったが、資源リサイクル法によって、分別回収時にペット容器の本体とキャップの原料成分が異なるためリングの取り除きが必要で、その取り除きに苦慮する問題が有り、町内会の資源回収日には、ペットボトルの大半がリングが付いたままになっている課題が有る。【解決手段】ペットボトルキャップの製造過程又は製造後において、キャップのリング部分の一箇所に、切り割り部を備えることで、子供や老人であっても、リングを簡単に取り除くことができる。【選択図】図１
2006176204.tif 000002
【特許請求の範囲】
【請求項１】
ペットボトルのキャップの下部に取り付いている開栓確認リングに直線の切り割り部を設けたことを特徴とする。
【請求項２】
ペットボトルのキャップの下部に取り付いている開栓確認リングに逆Ｖ字の切り割り部を設けたことを特徴とする。
【請求項３】
ペットボトルのキャップの下部に取り付いている開栓確認リングに逆Ｕ字の切り割り部を設けたことを特徴とする。
【発明の詳細な説明】
【技術分野】
【０００１】  本発明はペットボトルのキャップの開栓後にキャップの下部リングが残る問題に対する対策に関するもので有る。
【背景技術】
【０００２】  使用済みペットボトルの、町内資源回収時にペットボトルのキャップの下部のリングが残されたままになっている為に、当番の人達が大変迷惑する。よって従来技術（特開２００２−２７４５５２）においては、キャップの改良によってリングが取り残しの無い様にする為の技術提案がなされている。
【特許文献１】特開２００２−２７４５５２号公報２頁２７項
【発明の開示】
【発明が解決しようとする課題】
【０００３】  かかる従来技術に鑑み、ペットボトルキャップのリングを低コストで、簡単に取り除くことが出来る効果を得ようとするもので有る。
【課題を解決するための手段】
【０００４】  その為に、本発明においては、ペットボトルのキャップリングに切り割り部を備えたもので有る。
【発明の効果】
【０００５】  上記の様にしたもので、ペットボトルの開栓によって、取り残ったリングを、指先で簡単に取り除くことが出来るため、資源回収時に町内の担当者がリングの切り取りの煩わしさから解放される。
【発明を実施するための最良の方法】
【０００６】  一般的にはキャップ及び口栓の改良が考えられるが、ペットボトルの製造過程の設備投資が必要であるが、本発明においては、低コストによってペットボトルのキャップリングの一箇所を切り割りすることによって本発明の目的が達成される。
【実施例】
【０００７】  以下本発明を図によって説明すれば図１のペットボトルキャップ１を開栓すると、リング２が切り離され、定位置に止まり、リングの切り割り部３を指先で開くと簡単にリング２が取れる。【０００８】  又切り割り形状については、図１に示す外に逆Ｖ字型及び逆Ｕ字型も有る。
【図面の簡単な説明】
【０００９】  図１本発明の実施例を示すペットボトルキャップリングの直線切り割り図の側面図で有る。
図２本発明の実施例を示すペットボトルキャップリングの逆Ｖ字型の切り割り図の側面図で有る。
図３本発明の実施例を示すペットボトルキャップリングの逆Ｕ字型の切り割り図の側面図で有る。
【符号の説明】
【００１０】１、  キャップ
２、  リング
３、  切り割り部
【図１】
2006176204.tif 000003
【図２】
2006176204.tif 000004
【図３】
2006176204.tif 000005
(57)【要約】【課題】  「振り込め詐欺」等の電話を使用した犯罪に遭遇した場合に、被害を回避する有効な手段がない。防衛手段として録音機能がついた電話機を用意しても、録音するのみでは犯罪の抑止効果はなく、突然の犯罪に対応が困難である。また、無断で通話を録音した場合にプライバシー侵害の問題が生じることがある。【解決手段】  受信時に自動で録音することを音声で通知し、録音を開始する電話機により犯罪の抑止と、録音された内容を後で確認できることにより被害の回避を可能とする。操作が不要で、直近一定時間の記録が常に保存されているため、突然の犯罪に対しても対応でき、警察や裁判所に提出する証拠の提供が可能である。録音の開始を通知することによりプライバシー侵害の問題が生じない。【特許請求の範囲】
【請求項１】
録音開始を音声で通知する機能を持つことを特徴とする、録音開始通知機能付き電話機。
【発明の詳細な説明】
【技術分野】
【０００１】  本発明は、通話の録音を通知するための機能のついた電話機に関する。
【背景技術】
【０００２】  従来の電話機には録音機能のついたものがある。
【発明の開示】
【発明が解決しようとする課題】
【０００３】  しかし、従来の電話機は通話の録音をするのみで、犯罪を抑止する効果はなく、無断で通話を録音した場合にプライバシー侵害の問題が生じることがある。本発明は、電話を使用した犯罪の抑止と、プライバシー侵害の問題を解決することを課題とする。
【課題を解決するための手段】
【０００４】  この課題を解決するための発明は、受信時に自動で録音することを音声で通知し、録音を開始する機能を持つことを特徴とする、録音開始通知機能付き電話機である。
【発明の効果】
【０００５】  通話を録音することを通知することにより、「振り込め詐欺」等の電話を使用した犯罪を実行しようとする者が、犯行の記録をとられることを恐れて実行を思いとどまるという抑止効果が得られる。【０００６】  通話後に録音内容を確認することができるため、犯罪に対して冷静な対応ができ、被害からの回避が可能となる。【０００７】  受信するすべての通話を、録音することを通知の上で録音するため、突然の犯罪に対応できる。録音した記録は警察や裁判所に提出する証拠となる。【０００８】  受信時に録音することを通知しているのでプライバシー侵害の問題が生じない。
【発明を実施するための最良の形態】
【０００９】  電話機にボイスレコーダーと音声案内機能を組込み、電話の回線が接続された直後に「記録のため録音を開始します」などの音声案内をし、同時に録音を開始する仕組みとする。【００１０】  直近の一定時間を録音し、記録する媒体の容量を越える場合は、古いデータから順に上書きする仕組みとする。【００１１】  発信時において録音の必要が生じた際は、ボタン操作をすることにより音声案内が入り録音を開始する仕組みとする。
(57)【要約】【課題】この発明は携帯電話機の側の部分にミラーを装置した携帯電話機に関するものである。【解決手段】通信機能ボタン等ない携帯電話機本体１の裏側にミラー２を接着装置する。【選択図】図１
2006270904.tif 000002
【特許請求の範囲】
【請求項１】
ミラーを装置した携帯電話機
【発明の詳細な説明】
【発明の詳細な説明】
【技術分野】
【０００１】  この発明は、携帯電話機の側の部分にミラーを装置した携帯電話機に関するものである。従って、本発明は携帯電話機の電話という通信機能には関係なく、常時持ち歩くものとての電話機にミラーという利便機能を付加しようとするものである。
【発明が解決しようとする課題】
【０００２】  現代人は身だしなみに気をつかう人が多い。携帯電話機は常時携帯するものであるから、これにミラーを付ければ身だしなみチェックに利便である。特に女性においてコンパクトを出して身だしなみチェックしている人を多く見かけるが、常時手元にある携帯電話機にミラーを付ければコンパクトを出さずに簡便にチェックすることができ、電話機能にプラスした利便を提供することができる。
【発明を実施するための最良の形態】
【０００３】  これの実施にあたっては図面によって説明すると、図１の如く通信機能ボタン等ない携帯電話機本体１の裏側にミラー２を装置する。この場合、図２の如くミラー面にキズが付かないように開閉式の蓋３を装置してもよい。この蓋３の部分にさらにミラー２を装置すればミラー面はおよそ倍の面積として使える。
また、液晶面において電気的にミラー効果を作りこれに替えることもできる。
【発明の効果】
【０００４】  携帯電話は現代人の必需品として普及しており、経済活動と不可分のものとなった。また機能も多様化して通信以外のあそび要素によって普及を加速している。本発明はこの一環として携帯電話機に楽しさ実用性を付加することができる。
【図面の簡単な説明】
【０００５】
【図１】本発明の正面図
【図２】本発明の他の実施例斜視図
【符号の説明】
【０００６】１は携帯電話機本体
２はミラー
３はミラー蓋
【図１】
2006270904.tif 000003
【図２】
2006270904.tif 000004
(57)【要約】      （修正有）【課題】イヤホン使用時、たとえば携帯電話のハンズフリーとしての使用時とか、入院中のテレビ観戦時、屋外でのステレオ等にイヤホンを使用する際に、耳からイヤホンが落ちるのを防ぐ。【解決手段】耳たぶに挟みこむイヤリングタイプ固定器具をイヤホンに取り付ける事で、耳からイヤホンが落ちなく出来ます。また、固定器具には、装飾品やキャラクターを付ける事で、若い人や女性にも受け入れ易くなり使用者も増えると思います。【選択図】図１
2006270907.tif 000002
【特許請求の範囲】
【請求項１】
携帯電話やテレビ、ステレオ、ラジオ等のイヤホンの耳に差し込む部分に取り付け、耳から落ちない様に、耳たぶの部分にイヤリングの様に固定する為の、固定器具です。
【請求項２】
イヤホンの耳に差す部分を、イヤリングと合体させイヤリングを耳たぶに取り付けるとイヤホンが耳の穴に差し込まれて、イヤホンが耳から落ちずイヤホンを耳に入れている時、ただイヤホンを耳に入れているのではなくイヤリングにイヤホンが着いている様に見える、固定器具です。
【請求項３】
これは、市販されているイヤホンにも、イヤホン自体に製造段階で、取付る物も含みます
【請求項４】
市販されているイヤホンに取り付ける場合は、クリップで挟むタイプと差し込み式のタイプが有ります。
【請求項５】
耳たぶに固定する部分は、イヤリングを取り付ける時の、挟むタイプに痛みが無い様に、ゴムやスポンジでカバーを着けます。
【請求項６】
固定器具には、見た目を良くする為に装飾品等を着けます。花の形やキャラクターをかたどった物、キャラクターの写真や絵を貼ったり、と多彩なイヤリングとしても利用できます。それが、イヤホンに取付出来る楽しさが有ります。
【発明の詳細な説明】
【技術分野】
【０００１】本発明は、イヤホン使用の際の便利さを考えた物です。
【背景技術】
【０００２】イヤホン使用時に、耳から取れ易く、最近では、運転中の携帯電話の使用も違反に成るにも関わらず、沢山見かけますが、この商品で少しでも減らせるかと思います。
【発明の開示】
【発明が解決しようとする課題】
【０００３】これにより、耳からポロポロイヤホンが落ちるのを防げます車中の携帯電話の使用も減ると思います。特に女性のイヤホンでの携帯電話の使用にイヤホンが使用され易くなると思います
【課題を解決するための手段】
【０００４】耳から離れない様にする為に、イヤリング形式の耳たぶに挟む器具を取り付けました。また、女性の利用を促すために、器具にキャラクター等の装飾品を付ける様にしました。
【発明の効果】
【０００５】携帯電話の車中の利用が大幅に減ってくれればと思います。
病院に入院中のテレビの利用も便利になります。
【発明を実施するための最良の形態】
【０００６】携帯電話用のイヤホンに取り付ける。図１に示す。
他のイヤホン利用時にも必ず耳から離れやすいと思っている利用者が居ますから、その使用時に利用する。
固定器具には、装飾、キャラクター等を付けて耳に付けた時、見栄えを良くする。
【図面の簡単な説明】
【０００７】
【図１】イヤホンに取り付けた状態の発明品の実施形態を示す図
【図２】発明を示す斜面図です（装飾が付いている商品）
【図３】発明を示す斜面図です（装飾が付いてない商品）
【図４】発明を示す斜面図です（具体的に装飾品を付けた商品）
【符号の説明】
１  耳たぶを挟み固定する部分
２  イヤホンを固定する部分
３  見た目を良くする為、装飾品が付いた状態
【図１】
2006270907.tif 000003
【図２】
2006270907.tif 000004
【図３】
2006270907.tif 000005
【図４】
2006270907.tif 000006
(57)【要約】      （修正有）【課題】  高エネルギーを使う紫外線発光ダイオードの電源として、交流電源をそのまま扱う方式を導入することを実現させる。【解決手段】  交流電源からブリッジ整流回路を通して、全波整流波へ変換させる。サイリスタの点弧制御を行い発光ダイオードに流れる電流を制御する。紫外線発光ダイオードは直列にして、制御電圧を高くして、電流を押さえる。【選択図】  図１
2006270007.tif 000002
【特許請求の範囲】
【請求項１】
ブリッジ回路により、交流を全波整流波へ変換してから、サイリスタにより点弧制御していること。点弧制御に合わせて、紫外線ダイオードを直列繋ぎで、使用電圧を高くして、電流を小さく押さえていること。
【発明の詳細な説明】
【技術分野】
【０００１】  本発明は、消費電力の大きい紫外線発光ダイオードの照射システムの制御を行う電気回路に関するこのである。
【背景技術】
【０００２】  普通は消費電力の大きいダイオード回路では直流を用いるのが常道であった。紫外線発光ダイオードは性質上、電流を小さく押さえる必要があり、電圧が高い方が望ましい。よって、高電圧の直流電源が一般的に使われてきた。
【発明の開示】
【発明が解決しようとする課題】
【０００３】  高エネルギーを使う紫外線発光ダイオードの電源として、交流電源をそのまま扱う方式を導入することを実現させる。
【課題を解決するための手段】
【０００４】  まず、交流電源からブリッジ整流回路を通して、全波整流波へ変換させる。次に、サイリスタの点弧制御を行い、発光ダイオードに流れる電流を制御する。また、紫外線発光ダイオードは直列にして、制御電圧を高くして、電流を押さえる。
【発明の効果】
【０００５】  本発明は以上のように、交流から直流への変換の手間を省き、交流（半波整流波）のままで発光ダイオードを駆動することを実現させた。
【発明を実施するための最良の形態】
【０００６】  まず、交流電源からブリッジ整流回路を通して、全波整流波へ変換させる。
次に、サイリスタの点弧制御を行い、発光ダイオードに流れる電流を制御する。
紫外線発光ダイオードは直列に繋ぎ、消費電圧を上げ、消費電流を下げる。
【図面の簡単な説明】
【０００７】
【図１】    本発明の電気回路の略式図である。
【図１】
2006270007.tif 000003
(57)【要約】【課題】  高速道路等の遮音壁用太陽電池として、シール状アモルファスシリコン太陽電池モジュールの特性を生かし、環境に優しく、作業性、経済性優れた遮音壁用太陽電池を開発する。【解決手段】  高速道路等の遮音壁用太陽電池の軽量化、と遮音壁の外側面の反射抑制の高い、シート状のアモルファスシリコン太陽電池の遮音壁用太陽電池を開発する。【選択図】図１
2006270006.tif 000002
【特許請求の範囲】
【請求項１】
高速道路等の鋼鈑製遮音壁の統一型防音壁と標準型防音壁等の背面に、直接シート状アモルファスシリコン太陽電池モジュールを取り付けた遮音壁用太陽電池とする。
【請求項２】
高速道路等のコンクリート製ブロック型遮音壁の背面に取り付け金具を用いて、シート状アモルファスシリコン太陽電池モジュールを取り付けた遮音壁用太陽電池とする
【請求項３】
既存の遮音壁には軽量で自由な形状（湾曲、平面等）に対応可能なシート状アモルファスシリコン太陽電池モジューを装着した、遮音壁用太陽電池とする。
【発明の詳細な説明】
【発明の詳細な説明】
【技術分野】
【０００１】  発明は、既存の高速道路等の遮音壁の強度及びスペースを活用し、太陽電池モジュールを取り付けて、太陽光発電の拡大を図る。
【背景技術】
【０００２】  従来の遮音壁用太陽電池は重く、作業性が悪く、設備工事費も高く一般的に活用する段階には至っていない状況にある。
【発明が解決しようとする課題】
【０００３】  開発の遮音壁用太陽電池は、作業性及び環境に優しい、シート状アモルファスシリコン太陽電池モジュールを用いて、設備工事費を安くし、太陽光発電工事の拡大を図る。
【０００４】  本発明の目的は、地球環境保全を図るためには、太陽電池利用の拡大により各メーカの量産性の向上を計り、太陽電池設備工事費の削減を図る。
【課題を解決するための手段】
【０００５】  新防音壁の仕様に組み入れ、シート状アモルファスシリコン太陽電池モジュールを取り付けた、新遮音壁用太陽電池を開発する。
【発明を実施するための最良の形態】
【０００６】  本発明は、鋼鈑製の図１統一型防音壁と図２標準型防音壁の背面に直接シート状アモルファスシリコン太陽電池モジュールを木ネジ等で取り付ける。
図３のコクリート製ブロック型遮音壁の背面に取り付け金具を用いて、シート状アモルファスシリコン太陽電池モジュールを木ネジ等で取り付ける。
更に、既存の高速道路用遮音壁等にも、シート状アモルファスシリコン太陽電池モジュールを改良し、高速道路等の遮音壁面に取り付ける。
【実施例】
【０００７】  実施例は、図面を用いて説明すると、湾曲面の遮音壁用に採用される、鋼鈑製の図１統一型防音壁の背面に直接シート状アモルファスシリコン太陽電池モジュールを木ネジ等で取り付ける。  垂直面の遮音壁に採用される、鋼鈑製の図２標準型遮音壁の背面に直接シート状アモルファスシリコン太陽電池モジュールを木ネギ等で取り付ける。  尚、太陽電池モジュールのコネクタ用箱が防音壁の背面を突き出すことになり、取り付け金具用いて設置する。  又、図３コンクリート製ブロック型遮音壁の背面に取り付け金具を用いてシート状アモルファスシリコン太陽電池モジュールを装着し、各太陽電池モジュールからの電極ケーブル等は遮音壁用Ｈ鋼材内に収納する。  各遮音壁図共通として、（Ａ）は湾曲及び垂直面の遮音壁用太陽電池の設置状況を示し、（Ｂ）は遮音壁の水平面断面図、（Ｃ）は遮音壁の垂直則面断面図、（Ｄ）は遮音壁用太陽電池の部分詳細と部品図を示す。  シート状アモルファスシリコン太陽電池モジュールを高速道路等の遮音壁面に取り付け、経済性と作業性の向上を図る。
【発明の効果】
【０００８】  本発明は、広大な高速道路等の遮音壁面（２００万ｍ２）に、シート状のアモルファスシリコン太陽電池モジュールを取り付けた遮音壁用太陽電池の開発により、環境に優しく、地球環境保全設備の拡充を図る。
【０００９】  シート状アモルファスシリコン太陽電池モジュールは軽量により、工事期間の短縮が工事費を安くし、維持管理費も安く、管理も簡単になる。
【００１０】  既存の高速道路等の遮音壁用太陽電池としては軽量で自由な形状に最適な、シート状アモルファスシリコン太陽電池モジュールが利用範囲を拡大する。
【図面の簡単な説明】
【００１１】
【図１】（Ａ）は高速道路の統一型遮音壁用太陽電池の装着図  （Ｂ）は遮音壁の水平面断面図  （Ｃ）は遮音壁の垂直側面断面図  （Ｄ）は遮音壁の太陽電池部分詳細図及び部品図
【図２】（Ａ）は高速道路の標準型遮音壁用太陽電池の装着図  （Ｂ）は遮音壁の水平面断面図  （Ｃ）は遮音壁の垂直側面断面図  （Ｄ）は遮音壁の太陽電池部分詳細図及び部品図
【図３】（Ａ）は高速道路のコンクリート型遮音壁用太陽電池の装着図  （Ｂ）は遮音壁の水平面断面図  （Ｃ）は遮音壁の垂直側面断面図  （Ｄ）は防音壁の太陽電池部分詳細図及び部品図
【符号の説明】
【００１２】１    シート状アモルファスシリコン太陽電池モジュール
２    取り付け金具（鋼材、合成樹脂等）
３    ＳＵＳ製木ネジ
４    ＳＵＳ製ワッシャ
５    ＳＵＳ製ボルト
６    ＳＵＳ製ナット
７    防音壁（鋼板製、コンクリート製、合成樹脂製等）
８    Ｌ字形材（等辺山形鋼、合成樹脂等）
９    ケーブルとコネクタ用箱
１０  ケーブルカバー（鋼材、合成樹脂等）
１１  Ｈ形鋼材（既存の遮音壁鋼材）
【図１】
2006270006.tif 000003
【図２】
2006270006.tif 000004
【図３】
2006270006.tif 000005
【手続補正書】
【提出日】平成17年10月5日(2005.10.5)
【手続補正１】
【補正対象書類名】特許請求の範囲
【補正対象項目名】請求項１
【補正方法】変更
【補正の内容】
【請求項１】
高速道路等の遮音壁図１の統一型防音壁背面溝（凹）を活用し、ケーブルとコネクタ用箱を納め、直接シート状アモルファスシリコン太陽電池モジュールを取り付けた遮音壁用太陽電池とする。
【手続補正２】
【補正対象書類名】特許請求の範囲
【補正対象項目名】請求項２
【補正方法】変更
【補正の内容】
【請求項２】
高速道路等のコンクリート製ブロック型遮音壁図３の背面に取り付け架台等を用いて、シート状アモルファスシリコン太陽電池モジュールを取り付けた遮音壁用太陽電池とする。
【手続補正３】
【補正対象書類名】特許請求の範囲
【補正対象項目名】請求項３
【補正方法】変更
【補正の内容】
【請求項３】
高速道路等の遮音壁図２の標凖型防音壁背面の溝（凹）が小さく、コネクタ用箱がはみ出すことになり、取り付け金具等を用いて、直接シート状アモルファスシリコン太陽電池モジュールを取り付けた遮音壁用太陽電池とする。
(57)【要約】【課題】  メモ帳にも敷設できる、はがき大程度の大きさと厚さの紙一枚を切り折して簡単に組み立てることのできる安価で、実用性の高いペーパースタンドを提供する。【解決手段】  シート状部材に前部ペーパー押さえ部(5)、後部ペーパー押さえ部(6)後部ペーパー押さえ部差込部(1),(4)後部ペーパー押さえ部差込切り込み(12),(13)切り離し切込み部(3)及びペン立て穴(8),(14)を切り抜き、これを折線(7),(10)で山折りし略三角柱状に折りし、次いで折り線(2)を谷折りし、 前部ペーパー押さえ部(5)と後部ペーパー支え部(6)を後ろに一体に湾曲させながら後部ペーパー支え部差込部(1)を後部ペーパー支え部差込切り込み(13)に後部ペーパー支え部差込部(4)を後部ペーパー支え部差込切り込み(12)にそれぞれ差し込み、組み立てる【選択図】図１
2006098573.tif 000002
【特許請求の範囲】
【請求項１】
A  シート状部材に前部ペーパー押さえ部(5)、後部ペーパー押さえ部(6)後部ペーパー押さえ部差込部(1),(4)後部ペーパー押さえ部差込切り込み(12),(13)切り離し切込み部(3)及びペン立て穴(8),(14)を切り抜く、
B  折線(7),(10)で山折りし略三角柱状に折りし、折り線(2)を谷折りする
C  前部ペーパー押さえ部(5)と後部ペーパー押さえ部(6)を後ろに一体に湾曲させながら後部ペーパー押さえ部差込部(1)を後部ペーパー押さえ部差込切り込み(13) に後部ペーパー支え部差込部(4)を後部ペーパー支え部差込切り込み(12)にそれぞれ差し込む。
以上の如く、切り折りにより組み立てるペーパー・ペンスタンド
【請求項２】
A  シート状部材に前部ペーパー押さえ部(19)、後部ペーパー押さえ部(20)前部ペーパー押さえ部差込部(23)前部ペーパー押さえ部差込切り込み(17),底部差込部(15) 底部差込部差込切り込み(26)及びペン立て穴(22),(27)を切り抜く
B  折線(18),(22)で山折りし略三角柱状に折りし、折り線(25)を谷折りする
C  前部ペーパー押さえ部差込部(23)を前部ペーパー支え部差込切り込み(17)に差し込み、底部差込部(15)を 底部差込部差込切り込み(26)に差し込む。
以上の如く、切り折りにより組み立てるペーパー・ペンスタンド
【請求項３】
表紙を適当な厚手紙とし、或いは表紙の次に適当な厚手紙を綴じ込み、これに請求項１、または請求項２の切込みを施し、メモと連結してペーパー・ペンスタンドを組み立て付設させたメモ帳。
【発明の詳細な説明】
【技術分野】
【０００１】
この発明は、組み立て式ペーパースタンドに関する。
【背景技術】
【０００２】
従来、シート状の部材を、切り折りして組み立てるペーパースタンドは、以下の各種発明がる。
【特許文献１】実用新案登録３０７６６３７
【特許文献２】特開２００２−５２８８３
【発明の開示】
【発明が解決しようとする課題】
【０００３】
しかしながら、従来の技術は、部品構数が多く、構造も複雑で組み立てに手数がかかるという欠点がある。
本発明は、構成部品数が極めて少なく、構造も簡単で組み立ても極めて容易な切り折り組み立て式ペーパースタンドを提供するものである。
【課題を解決するための手段】
【０００４】
本発明は、以上の欠点，問題点を改善するため、下記の如く構成する。
【０００５】
請求項１の発明の場合
シート状部材に前部ペーパー押さえ部(5)、後部ペーパー押さえ部(6)後部ペーパー押さえ部差込部(1),(4)後部ペーパー押さえ部差込切り込み(12),(13)切り離し切込み部(3)及びペン立て穴(8),(14)を切り抜き、これを折線(7),(10)で山折りし略三角柱状に折りし、次いで折り線(2)を谷折りし、前部ペーパー押さえ部(5)と後部ペーパー支え部(6)を後ろに一体に湾曲させながら後部ペーパー支え部差込部(1)を後部ペーパー支え部差込切り込み(13)に後部ペーパー支え部差込部(4)を後部ペーパー支え部差込切り込み(12)にそれぞれ差し込み、組み立てる
【０００６】
請求項２の発明の場合
シート状部材に前部ペーパー押さえ部(19)、後部ペーパー押さえ部(20)前部ペーパー押さえ部差込部(23)前部ペーパー押さえ部差込切り込み(17),底部差込部(15)底部差込部差込切り込み(26)及びペン立て穴(22),(27)を切り抜き、折線(18),(22)で山折りし略三角柱状に折りし、折り線(25)を谷折りし、次いで前部ペーパー支え部差込部(19)を前部ペーパー支え部差込切り込み(17)に差し込み、底部差込部(23)を 底部差込部差込切り込み(26)に差し込み組み立てる。
【発明の効果】
【０００７】
本発明は、単純な切抜きと、折りと、差込みという簡単な作業で組み立てることができる。
さらに差込部にペーパーを差し込んだときに当該ペーパーは横方向に湾曲しかつわずかに後ろに傾斜するので、A4,B4サイズのペーパーでも立てることができる。
また、わずかな材料で、大量に作ることができる。
シート状のまま保管、運搬できるのでかさばらないので。パーティ等大量に使用する場合便利である。
【発明を実施するための最良の形態】
【０００８】
本発明のペーパー・ペンスタンドに使用部材は、はがき程度の大きさと厚さの紙でよいが、合成樹脂シートを使用すればさらに品質のよいものができる。
【実施例１】
【０００９】
本発明は、所要の切込みを施したシート状のままこれを出荷、運搬、保管し、使用するときに、組み立てる。
メモ帳の表紙そのものをはがき程度の厚さにするか、別に表紙の次に閉じこんでこれに切り込みを施し、組み立てることによってメモ・ペンスタンド付きメモ帳とすることができる。
さらに、合成樹脂シートを使用すれば耐久性の高いものとなる。
【図面の簡単な説明】
【００１０】
【図１】請求項１の発明の斜視図
【図２】請求項１の発明の切り込み展開図
【図３】請求項２の発明の斜視図
【図４】請求項２の発明の切り込み展開図
【図５】請求項１の発明の使用状態斜視図
【図６】請求項２の発明を付設したメモ帳の使用状態斜視図
【符号の説明】
【００１１】
１、４  後部ペーパー押さえ部差込部
３  切り離し切り込み
５  前部ペーパー押さえ部
６  後部ペーパー押さえ部
７  山折り線
８、１４  ペン立て穴
９  後ろ支え部
１０  山折り線
１１  底部
１２、１３  後部ペーパー押さえ部差込切り込み
１５  底部差込部
１６  底部
１７  前部ペーパー押さえ差込切り込み
１８  山折り線
１９  前部ペーパー押さえ部
２０  後部ペーパー押さえ部
２１、２７  ペン立て穴
２２  山折り線
２３  前部ペーパー押さえ差込部
２４  後ろ支え部
２５  谷折り部
２６  底部差込部差込切り込み
２７  ペン
【図１】
2006098573.tif 000003
【図２】
2006098573.tif 000004
【図３】
2006098573.tif 000005
【図４】
2006098573.tif 000006
【図５】
2006098573.tif 000007
【図６】
2006098573.tif 000008
(57)【要約】【課題】本発明の装置の大型化、複雑化を招くことなく、簡単な構成で記録紙を冷却可能な電子写真式印刷装置の用紙冷却装置を提供する事にある。【解決手段】本発明によれば、記録紙及びヒートパイプ間の摩擦力により、記録紙の搬送に合わせてヒートパイプが回転する為、モータ等の駆動力を必要とせず装置の大型化、複雑化を招くこと無く、簡単な構成で記録紙の冷却が可能である。【選択図】  図１
2006098917.tif 000002
【特許請求の範囲】
【請求項１】
トナー像を転写した記録紙を加熱加圧定着する定着手段と、前記定着手段により加熱定着された記録紙を冷却するための用紙冷却装置とを備えた電子写真式印刷装置において、前記用紙冷却装置は、熱伝導体と、前記記録紙の搬送方向と直行した両側に配し、前記熱伝導体に取付けられた放熱フィンと、前記放熱フィンに冷却風を吹き付けるファンとで構成され、前記熱伝導体間を交互に前記記録紙を通過させ、前記記録紙を搬送方向に引張ることにより、前記記録紙を熱伝導体に押し付けることを特徴とする電子写真式印刷装置の用紙冷却装置。
【請求項２】
前記記録紙及び熱伝導体間の押し付け力により発生する摩擦によって、前記記録紙の搬送と共に前記熱伝導体が回転する事を特徴とする請求項１記載の電子写真式印刷装置の用紙冷却装置。
【請求項３】
前記放熱フィンの間に配置したエアガイドに冷却風を当てることにより、前記熱伝導体の回転を補助する事を特徴とする請求項１記載の電子写真式印刷装置の用紙冷却装置。
【発明の詳細な説明】
【技術分野】
【０００１】
本発明は、電子写真式印刷装置の用紙冷却装置に関するものである。
【背景技術】
【０００２】
電子写真式印刷装置では、トナー像が転写された記録紙を定着部において、加熱・加圧することによりトナー像を定着させる。近年、印刷スピードの高速化に伴う発熱量の増大により、定着後の記録紙を十分に冷却する事は困難である。
【０００３】
その結果、電子写真式印刷装置２台によるタンデム印刷を行う場合、１台目によって加熱された記録紙が、高温のまま２台目に給紙されることにより、現像機内部のトナー温度が上昇し、帯電性の低下を招く恐れがある。
また、定着後の記録紙を後処理機にて折畳む場合においても、十分にトナーが冷却されない状態で折畳まれる事により、固化していないトナーが接着剤となって用紙と用紙が接着されるブロッキング現象が発生する。
【０００４】
このような不具合を防ぐ為にも、トナー定着後速やかに記録紙を冷却する必要がある。熱伝導体を用いて記録紙を効率良く冷却する為には、熱伝導体に記録紙を押し当てる事、及び記録紙の搬送と共に熱伝導体を回転させる事が必要である。このような例として特許文献１がある。特許文献１では、圧接させた上下一対の熱伝導体の間に用紙を挟み込み、モータを用いて熱伝導体を回転させる用紙冷却装置が開示されている。しかし、上記記録紙を挟み込む場合、記録紙の幅方向の圧力に偏りがあると、記録紙が斜行する可能性がある。また、モータ等により駆動力を得る場合、電子写真式印刷装置の記録紙搬送速度と熱伝導体回転速度の同期を取る必要となる為、装置の大型化、複雑化を招いてしまう。
【０００５】
【特許文献１】特開平１０−２０７１５５号公報
【発明の開示】
【発明が解決しようとする課題】
【０００６】
本発明の目的は、上記した従来技術の問題点を解消し、装置の大型化、複雑化を招くことなく、簡単な構成で記録紙を冷却可能な電子写真式印刷装置の用紙冷却装置を提供する事にある。
【課題を解決するための手段】
【０００７】
トナー像を転写した記録紙を加熱加圧定着する定着手段と、前記定着手段により加熱定着された記録紙を冷却するための用紙冷却装置とを備えた電子写真式印刷装置において、前記用紙冷却装置は、熱伝導体と、前記記録紙の搬送方向と直行した両側に配し、前記熱伝導体に取付けられた放熱フィンと、前記放熱フィンに冷却風を吹き付けるファンとで構成され、前記熱伝導体間を交互に前記記録紙を通過させ、前記記録紙を搬送方向に引張ることにより、前記記録紙を熱伝導体に押し付けることで達成できる。
【発明の効果】
【０００８】
本発明によれば、上記した従来技術の問題点を解消し、装置の大型化、複雑化を招くことなく、簡単な構成で記録紙を冷却可能な電子写真式印刷装置の用紙冷却装置を提供する事ができる。
【発明を実施するための最良の形態】
【０００９】
本発明の実施形態を図１、２、３により説明する。図１は本発明の一実施形態に基く電子写真式印刷装置の用紙冷却装置の構成を示す図である。図２は本発明の一実施形態に基く電子写真式印刷装置の用紙冷却装置の冷却部構成を示す図である。また、図３は、本発明の一実施形態に基く電子写真式印刷装置の用紙冷却装置と電子写真式印刷装置の配置例を示す図である。
【００１０】
ヒートパイプ１には両端に放熱フィン１aが取付けられ、放熱フィン１aにはエアガイド１ｂが取付けられている。また、ヒートパイプ        はベアリング３で保持されており、自由に回転可能である。ファン２は、放熱フィン１a及びエアガイド１ｂに冷却風を当て冷却すると共に、エアガイド１ｂに冷却風が当った際、記録紙４の搬送方向に回転力が発生するように、ヒートパイプ１の回転軸からずらした位置に配置される。記録紙４はヒートパイプ１間を、交互に通過するように配置される。
このような構成による用紙冷却装置５は、定着装置８を持つ電子写真式印刷装置６と電子写真式印刷装置又は、後処理機７の間に配置される。
【００１１】
上記構成によれば、電子写真式印刷装置又は、後処理機７により記録紙４を引張ることにより、記録紙４はヒートパイプ１に押し付けられる。また、この押し付け力により発生する摩擦によってヒートパイプ１が記録紙４の搬送に合わせて回転する為、単に押し付ける場合より、効率良く冷却を行う事が出来る。
【００１２】
また、ヒートパイプが回転を始める搬送開始時には、記録紙４に最も大きな負荷が加わった場合など、破損の可能性がある。しかし、上記構成によればエアガイドｂに冷却風を当てることにより、記録紙４の搬送方向にヒートパイプ１の回転力が発生する為、記録紙４に加わる負荷の低減が可能である。
【図面の簡単な説明】
【００１３】
【図１】本発明の一実施形態に基く電子写真式印刷装置の用紙冷却装置の構成を        示す図である。
【図２】本発明の一実施形態に基く電子写真式印刷装置の用紙冷却装置の冷却部構成を示す図である。
【図３】本発明の一実施形態に基く電子写真式印刷装置の用紙冷却装置と電子写真式印刷装置の配置例を示す図である。
【符号の説明】
【００１４】
１はヒートパイプ、１ａは放熱フィン、１ｂはエアガイド、２はファン、３はベアリング、４は記録紙、５は用紙冷却装置、６は電子写真式印刷装置、７は電子写真式印刷装置又は、後処理機８は定着装置である。
【図１】
2006098917.tif 000003
【図２】
2006098917.tif 000004
【図３】
2006098917.tif 000005
(57)【要約】【課題】  ストロボユニットを組立性を向上させつつ小型化することができ、さらにトリガーコイルから他の構成部品への電気リークを確実に防止することができる。【解決手段】  トリガーコイルのカバー部材の位置決め及び固定手段を剛性の少ないトリガーコイル自身に持たせず、剛性の高い近傍の素子を用いて行う。【選択図】  図４
2006098980.tif 000002
【特許請求の範囲】
【請求項１】
少なくとも発光管と反射笠を含む発光部と、少なくとも発光起動用のトリガーコイルとトランスを含む複数の電気部品を実装した基板と、絶縁のために該基板の一部を覆うカバー部材とから成るストロボ装置において、前記カバー部材は剛性の異なる複数の電気部品を一体的に覆うように構成し、さらにその内側には、前記電気部品の内、剛性の高い電気部品の外周面に当接する位置決め部が形成されていることを特徴とするストロボ装置。
【請求項２】
前記剛性の高い電気部品はトランスであることを特徴とする請求項１記載のストロボ装置。
【発明の詳細な説明】
【技術分野】
【０００１】
本発明はストロボ装置に係り、特にカメラに組み込まれるストロボ装置に関するものである。
【背景技術】
【０００２】
近年、デジタルスチルカメラ等の電子機器でも、機能や使い勝手や大きさに加え、外観意匠における高級感等も重要視され、さらに内部各構成要素の小型化に関しても各社それぞれ工夫を凝らしているのが実情である。カメラの構成要素として必須のストロボ装置に関しても、発光管や反射笠等を有した発光部と、この発光部近傍に配置されるストロボ発光回路を形成する電気部品を実装した電気回路部から構成されており、同様に小型化に取り組んでいる。この電気回路部には、発光管を発光起動させるために数ｋＶの高電圧をトリガーコイルの２次電極から発生させており、発光抜けを防ぐために、発光部及び電気回路部は電気リークを起こさないように設計をしなければならない。
【０００３】
従来のカメラのストロボ装置のトリガーコイルからのリーク防止として、特許文献１には、発光部を収納するハウジングに前記トリガーコイルの上面及び側面を囲むコイル収納部が、一体成形されているものが開示されている。
【特許文献１】特開平２００１−４２３９５号公報
【発明の開示】
【発明が解決しようとする課題】
【０００４】
しかしながら、実際の製品ではカメラの内部構成の都合上、上記特許文献１に示すようにトリガーコイルがうまく配置できない場合、トリガーコイルの素子がむき出しとなるため、トリガーコイルの２次電極から本体部品への電気リークの発生を防止する為に、トリガー電極部にシリコンを充填したり、別体の絶縁キャップを取付けたりしていた。シリコンの充填は、組立工程においての作業性が悪く、乾燥時間も必要なため次の工程に移るまでに長時間を要し、コスト高につながる問題がある。また、別体の絶縁キャップもトリガーコイルの小型化に伴い、トリガーコイル自身を用いてのキャップの位置決め及び圧入による保持が、トリガーコイルの剛体部分が少ないという理由でスペース的にも厳しくなってきている。
【課題を解決するための手段】
【０００５】
本発明のストロボ装置は、少なくとも発光管と反射笠を含む発光部と、少なくとも発光起動用のトリガーコイルとトランスを含む複数の電気部品を実装した基板と、絶縁のために該基板の一部を覆うカバー部材とから成るストロボ装置において、前記カバー部材は剛性の異なる複数の電気部品を一体的に覆うように構成し、さらにその内側には、前記電気部品の内、剛性の高い電気部品の外周面に当接する位置決め部が形成されていることを特徴とする。
【発明の効果】
【０００６】
本発明によれば、トリガーコイル２次電極部にシリコンを充填する必要が無くなり、作業性を向上させるとともに組立時間の短縮などによるコストダウンが可能となる。さらに、カバー部材の内側に壁部を追加し、沿面距離を稼ぐことでトリガーコイルとその周辺の導体への電気リークを確実に防止することが可能となる。また、カバー部材の位置決め及び固定を小型化されたトリガーコイル自身で行わないことで、組み立て性を損なわず、より小型化を図ったストロボ装置を実現することができる。
【発明を実施するための最良の形態】
【０００７】
以下、図面に従って実施例を説明する。図１は、ストロボユニットの分解斜視図を示す。図２は、ストロボユニット全体の完成状態の斜視図を示す。図３は、カバー部材９の電気部品側から見た斜視図を示す。図４は、カバー部材９を固定後の一部分を破断して示す平面図を示す。このストロボユニットの発光部は、主に発光管１と反射笠２とそれらを収納するストロボホルダー３、上面から発光部を覆う略コの字状のストロボカバー４で構成されている。発光回路に関しては、基板５上にトリガーコイル６、トランス７等の電気部品が実装され、トリガーケーブル８は、発光のためのトリガー電極として一端は反射笠２に接続され、他端はトリガーコイルの２次電極部６ａに接続されている。弾性部材から成るカバー部材９は、トリガーコイル６、トランス７、及び周辺電気部品を覆う形状となっている。このカバー部材９は、組付け後トリガーケーブル８のおおよその位置を規制する機能も兼ねている。さらに、図３に示すようにカバー部材９は剛性のあるトランス７に対し圧入固定するための位置決め部であるリブ９ａと、トリガーコイルの２次電極部６ａの数ｋＶもの高電圧による電気リークを防ぐための壁部９ｂを形成している。なお、リブ９ａは図３の上下略対向位置に一対形成されている。
【０００８】
次に上記構成のカバー部材９のストロボユニットへの位置決め、固定方法について説明する。図１に示すように基板５上にトリガーコイル６、トランス７等の電気部品が実装された状態で、これら電気部品に覆い被さるように上からカバー部材９を圧入固定すればよい（図２）。この固定状態では、図４に示すようにカバー部材９の壁部９ｂを挟んで一方の空間にトリガーコイル６が、他方の空間にはトランス７が効率良く収納されている。さらに、壁部９ｂとトランス７の側面部が当接することで回転止めの機能を成し、前記リブ９ａで固定保持されている。
【０００９】
なお、上述した実施形態における基板５は通常フレキシブルプリント基板が用いられるが、それに限定されることなくハード基板であってもかまわない。さらに、カバー部材９のリブ９ａの数、形状は前記実施例に限定されることはない。
【図面の簡単な説明】
【００１０】
【図１】ストロボユニットの分解斜視図。
【図２】ストロボユニット全体の完成状態の斜視図。
【図３】カバー部材を電気部品側から見た斜視図。
【図４】カバー部材固定後の一部分を破断して示す平面図。
【符号の説明】
【００１１】
１  発光管
２  反射笠
５  基板
６  トリガーコイル
７  トランス
９  カバー部材
９ａ  リブ
９ｂ  壁部
【図１】
2006098980.tif 000003
【図２】
2006098980.tif 000004
【図３】
2006098980.tif 000005
【図４】
2006098980.tif 000006